(57)【特許請求の範囲】
【請求項１】
ソケットハウジングに、環状の蛍光灯管から突出する複数のランプピンを差し込む差し込み孔を開設し、
前記ソケットハウジングの内部に、前記差し込み孔の内側で前記ランプピンを支持するソケット部と、リード線を接続するためのリード線コネクタとを一体化したコネクタ付きソケットを複数配設した蛍光灯照明具用ソケットにおいて、
前記ソケットハウジングを平板状に形成して、該ソケットハウジングの一方の平面に前記差し込み孔を配設し、
前記ソケット部に、前記差し込み孔の中心軸を挟んで相対向し、かつ差し込み孔の中心軸に沿って長手方向に配設される一対のソケット片と、該ソケット片の前記差し込み孔と反対側の端部をつなぐ連結片とを設け、
前記連結片の前記両ソケット片に挟まれたいずれか一方の側端部に当該連結片を前記差し込み孔の中心軸に沿ってクランク状に折り曲げた脚片の先端に前記ソケット部に取り付けられる前記蛍光灯と反対側に折り曲げられることによって形成された三角形のクランプ部を備えた前記リード線コネクタを連設するとともに、
前記リード線コネクタとソケット部とを並列に配置した
ことを特徴とする蛍光灯照明具用ソケット。
【請求項２】
前記一対のソケット片を互いに接近するようにくの字状に折曲させて直線状の屈曲縁を形成し、
両ソケット片の対向面に窪み部を形成して、該窪み部を前記屈曲縁に連続させ、
該屈曲縁と前記窪み部とが交わる４つの頂部を前記ランプピンとの接触点とした
ことを特徴とする請求項１に記載の蛍光灯照明具用ソケット。
【請求項３】
環状の蛍光灯管の内側に拡大鏡を配設した拡大鏡スタンドの前記蛍光灯管とこれを覆うランプシェードとの間に、前記請求項１または２に記載の蛍光灯照明具用ソケットを配設した
ことを特徴とする拡大鏡スタンド。
【発明の詳細な説明】
【技術分野】
【０００１】
本発明は、環状型や直管型，片口金型の蛍光灯管に用いる蛍光灯照明具用ソケットと、この蛍光灯照明具用ソケットを用いた拡大鏡スタンドに関する。
【背景技術】
【０００２】
環状の蛍光灯管を用いた蛍光灯照明具にあっては、蛍光灯管の口金から突出する４本のランプピンを、照明具側のソケットに差し込むことにより蛍光灯管に給電するようにしており、照明具側に配設されるソケットには、蛍光灯管のランプピンを保持するソケット部と、リード線を接続するためのリード線コネクタとを一体化したコネクタ付きソケットをソケットハウジング内部に設けた蛍光灯照明具用ソケットが知られている（例えば、特許文献１または特許文献２参照）。
【０００３】
また、図９（ａ）（ｂ）は、ソケット部とリード線コネクタとを、コネクタ付きソケットとして直列もしくはＬ字状に連続させた２種類の蛍光灯照明具用ソケットを示しており、図９（ａ）では、ソケット部１ａを複数のソケット片１ｂで構成し、リード線コネクタ１ｃを一対の小径スリーブ１ｄ，１ｄで構成しており、また図９（ｂ）では、ソケット部１ｅを複数のソケット片１ｆで構成し、断面円弧状の舌片をリード線コネクタ１ｇとしている。
【０００４】
ソケット部１ａ，１ｅは、ソケットハウジングに穿設された４つの差し込み孔（いずれも図示しない）の内側それぞれに、ソケット片１ｂ，１ｆを差し込み孔の中心軸を囲うようにして配設され、ソケットハウジングの差し込み孔から差し込まれた蛍光灯管のランプピンを複数のソケット片１ｂ，１ｆで弾性的に保持するようにしている。
図９（ａ）のリード線コネクタ１ｃは、各スリーブ１ｄにそれぞれケーブル２のリード線２ａを挿通してスリーブ１ｄをカシメてリード線２ａを接続し、また図９（ｂ）のリード線コネクタ１ｇは、舌片１ｈにリード線２ａをハンダ３で固定している。
【０００５】
また、ソケット部とリード線コネクタとを並列に配設し、ソケット部を一対のソケット片と押し上げ片とで構成し、両ソケット片を、ランプピンの差し込み孔内側で該差し込み孔の中心軸を挟んで直交方向に突出させて対向配置し、ばね力を持たせた押し上げ片を、両ソケット片の前記差し込み孔とは反対側に配設した蛍光灯照明具用ソケットも知られている（特許文献３参照）。
【０００６】
さらに、上述の特許文献１，２や図９（ａ）（ｂ）に示す蛍光灯照明具用ソケットを適用した一例として拡大鏡スタンドがある（例えば、特許文献４参照）。
図１０〜図１５は特許文献４の概略を示すもので、拡大鏡スタンド５は、作業テーブル６の側端部に立設した支柱７に支持アーム８を昇降可能に突設し、該支持アーム８の先端に固設した環状のランプシェード９に環状蛍光灯管１０を収納配置して、該蛍光灯管１０に蛍光灯照明具用ソケット１１を接続するとともに、ランプシェード９の内側に拡大レンズ１２を組み込んでいる。
【０００７】
蛍光灯照明具用ソケット１１のソケットハウジング１３は、ソケット部１ａ，１ｅとリード線コネクタ１ｃ，１ｇとの連続形状に合わせた縦長（図１５参照）もしくは略９０度に曲げなから連続させたエルボ型（図１０〜図１４参照）に形成され、蛍光灯照明具用ソケット１１を拡大鏡スタンド５へ適用した場合には、蛍光灯管１０とランプシェード９との間かもしくは蛍光灯管１０の下側に配設される。
【特許文献１】特開２００５−２８５４１９号公報
【特許文献２】特開平１０−３０８２６７号公報
【特許文献３】特開２００３−２１７７７８号公報
【特許文献４】特開２０００−１３７１７４号公報
【発明の開示】
【発明が解決しようとする課題】
【０００８】
しかしながら、特許文献１〜３や図９（ａ）（ｂ）に示す蛍光灯照明具用ソケットを用いた特許文献４の拡大鏡スタンドには、以下のような不具合がある。
これを図１０〜図１５で説明すると、環状蛍光灯管１０は、ランプピン１４が口金１５から蛍光灯管１０の中心軸方向へ向けて、およそ４５度の角度で突出する形状の規格品であり、一方の蛍光灯照明具用ソケット１１のソケットハウジング１３も、ソケット部１ａ，１ｅとリード線コネクタ１ｃ，１ｇとが直列またはＬ字状に連続する形状から大型となる。
このため、蛍光灯照明具用ソケット１１を蛍光灯管１０とランプシェード９との間に配設した場合には、蛍光灯照明具用ソケット１１が斜め内側上方へ大きく突出して上下方向のスペースを占有し、ランプシェード９の厚みが増大したり（図１２参照）、拡大レンズ１２の配置スペースを制約して小径で低倍率の拡大レンズしか使えなくなるという問題を生じる。
【０００９】
また、蛍光灯照明具用ソケット１１を蛍光灯管１０の下側に配設した場合には、蛍光灯照明具用ソケット１１の一部または大半がランプシェード９から斜め外側下方へ突出してしまい（図１０〜図１４）、作業テーブル６に被観察物１４を載置したり作業テーブル６上を移動させるのに妨げとなり、蛍光灯照明具用ソケット１１の影が作業テーブル６の上に落ちて観察を妨げることとなる。
ことに、近年の拡大鏡スタンドでは、拡大レンズ１２に高倍率のものが使用されているが、このような拡大レンズ１２では、被観察物１７との作動距離が例えば３０ｍｍ以下と接近しているため、蛍光灯照明具用ソケット１１がランプシェード９から下に突出することも軽視できない。
【００１０】
また、特許文献３の蛍光灯照明具用ソケットでは、ランプピンとの接触を良好にするためにばね力を持たせた押し上げ片を備えるが、押し上げ片のばね力は作業者がランプピンを差し込む際の抵抗となるため、好ましくない。さらに押し上げ片は、ランプピンの差し込み方向に対して傾斜して設けられるため、ランプピンに不要な偏荷重として作用する。
【００１１】
さらに、特許文献１〜３や図９（ａ）（ｂ）の蛍光灯照明具用ソケットでは、複数のソケット片を平板状もしくは円弧状に形成してランプピンに接触させる構造としているため、蛍光灯照明具用ソケットが外からの振動や衝撃を受けると、ランプピンがソケット片をこじってソケット片の間隔を広げてしまい、蛍光灯の点灯が確実に行えないことがある。
【００１２】
本発明は、かかる実情を背景にしてなされたもので、その目的とするところは、わずかな配置スペースでも取り付けがでるきように蛍光灯照明具用ソケットを薄型に改良して汎用性を高めつつ、蛍光灯管の点灯状態を良好に保てるようにし、またこのように改良した蛍光灯照明具用ソケットを用いて、環状蛍光灯管やランプシェードへの制約を極力排除することのできる拡大鏡スタンドを提供することにある。
【課題を解決するための手段】
【００１３】
上述の課題を達成するため、請求項１の発明の蛍光灯照明具用ソケットは、ソケットハウジングに、環状の蛍光灯管から突出する複数のランプピンを差し込む差し込み孔を開設し、前記ソケットハウジングの内部に、前記差し込み孔の内側で前記ランプピンを支持するソケット部と、リード線を接続するためのリード線コネクタとを一体化したコネクタ付きソケットを複数配設した蛍光灯照明具用ソケットにおいて、
前記ソケットハウジングを平板状に形成して、該ソケットハウジングの一方の平面に前記差し込み孔を配設し、前記ソケット部に、前記差し込み孔の中心軸を挟んで相対向し、かつ差し込み孔の中心軸に沿って長手方向に配設される一対のソケット片と、該ソケット片の前記差し込み孔と反対側の端部をつなぐ連結片とを設け、前記連結片の前記両ソケット片に挟まれたいずれか一方の側端部に当該連結片を前記差し込み孔の中心軸に沿ってクランク状に折り曲げた脚片の先端に前記ソケット部に取り付けられた前記蛍光灯側とは反対側に折り曲げられることによって形成された三角形のクランプ部を備えた前記リード線コネクタを連設するとともに、前記リード線コネクタとソケット部とを並列に配置したことを特徴としている。
【００１４】
また、請求項２の発明の蛍光灯照明具用ソケットは、請求項１の発明の蛍光灯照明具用ソケットにおいて、前記一対のソケット片を互いに接近するようにくの字状に折曲させ、両ソケット片の対向面に窪み部を形成して、該窪み部を前記屈曲縁に連続させ、該屈曲縁と前記窪み部とが交わる４つの頂部を前記ランプピンとの接触点とすることを特徴としている。
【００１５】
さらに、本発明の拡大鏡スタンドは、環状の蛍光灯管の内側に拡大鏡を配設した拡大鏡スタンドの前記蛍光灯管とこれを覆うランプシェードとの間に、前記請求項１または２に記載の蛍光灯照明具用ソケットを配設したことを特徴としている。
【００１６】
本発明は、環状型や直管型，片口金型のいずれの蛍光灯管にも適用が可能で、コネクタ付きソケットは、蛍光灯管から突出するランプピンの何本に対応して設けることができる。本発明のソケット部は、ランプピンの中心軸方向に対してばね力が作用しないので、ランプピンを差し込む際に抵抗となったり、差し込まれたランプピンに不要な偏荷重がかかることはない。
ソケット部とリード線コネクタとは並列に配置されるため、ソケットハウジングが差し込み孔を開設した一側面に対して横長形状となり、差し込み孔中心軸方向の厚みが抑えられる。ソケット部と一体のリード線コネクタは、その全体がソケット部の側部に位置することが望ましいが、全体を位置させることが困難な場合には一部のみであってもかまわない。
【００１７】
さらに、ランプピンとソケット片とを４つの接触点で接触させることにより、接触状態が安定する。例えば、蛍光灯照明具用ソケット自身やこれを適用した蛍光灯照明具が外からの振動や衝撃を受けた場合にも、ランプピンとソケット片とは、少なくとも２つ〜３つの接触点で常時接触状態を保つので、蛍光灯照明具の点灯状態を良好に維持できる。なお、接触点を形成するためのソケット片の窪み部はどのような形状であってもかまわない。
【発明の効果】
【００１８】
本発明によれば、ソケット部とリード線コネクタとを並列に配置したことにより、蛍光灯照明具用ソケットのソケットハウジングが、差し込み孔中心軸方向の厚みを抑えた薄型のコンパクトな形状となり、配置スペースの制約された多くの蛍光灯照明具に支障なく配置することができる。また、ソケット部からランプピンの中心軸方向に対してばね力が作用しないので、ランプピンをソケット片間に容易に差し込むことができ、差し込まれたランプピンにも不要な偏荷重を与えずに済む。
さらに、ランプピンとソケット片とを４つの接触点で接触させる構成により、外からの振動や衝撃を受けたりランプピンの抜き差しを繰り返した場合にもソケット片とランプピンとの接触状態を安定して保ち、蛍光灯管の点灯状態を良好に維持できる。
【００１９】
また、このような蛍光灯照明具用ソケットを拡大鏡スタンドに適用した場合には、蛍光灯照明具用ソケットを小スペースに配置できるので、拡大鏡スタンドを構成する部材の配置や大きさ，性能を制限しないで済み、さらに作業テーブル上の被観察物の移動を妨げたり、蛍光灯照明具用ソケットの影が作業テーブルの上に落ちて観察の支障になるといった不具合もなくなる。
【発明を実施するための最良の形態】
【００２０】
以下、本発明の形態例を図１〜図８に基づいて説明する。
図中、図１はコネクタ付きソケットとランプピンとケーブルの分解斜視図、図２は蛍光灯照明具用ソケットの外観図を示し、図２（ａ）は蛍光灯照明具用ソケットの正面図、図２（ｂ）は同じく側面図、図３は蛍光灯照明具用ソケットの断面図を示し、図３（ａ）は蛍光灯照明具用ソケットの断面正面図、図３（ｂ）は同じく一部断面平面図、図３（ａ）は同じく断面側面図、図４はコネクタ付きソケットとランプピンとの組み付け図を示し、図４（ａ）はコネクタ付きソケットとランプピンとを組み付けた正面図、図４（ｂ）は同じく側面図、図４（ｃ）は同じく断面平面図、図５は拡大鏡スタンドの斜視図、図６は図５に示す拡大鏡スタンドの電気配線図、図７は拡大鏡ユニットの断面図、図８は図７の要部拡大図である。
【００２１】
図２，図３に示すごとく、蛍光灯照明具用ソケット３０は、ハウジング本体３１とカバー３２とをねじ止めして平板状のソケットハウジング３３を構成し、該ソケットハウジング３３の一方の平面を担うカバー３２の中央に角形のボス部３３ａを突設して、該ボス部３３ａに開口する４つの差し込み孔３４のそれぞれに、環状型蛍光灯から突出するランプピン３５を差し込むようにした環状型蛍光灯照明具用で、ソケットハウジング３３は、差し込み孔３４の中心軸ＣＬと直交する平板状に形成されている。
【００２２】
ソケットハウジング３３の他方の平面には脚部３３ｂ，３３ｂが突設され、ソケットハウジング３３の一側面両端にケーブルホルダ３３ｃ，３３ｃが突設されており、脚部３３ｂ，３３ｂの内側に形成された凹部４０に、後述するリード線コネクタ４１ｂの一部が収容され、ケーブルホルダ３３ｃ，３３ｃに４本のケーブル３６のうちの２本が保持されている。
【００２３】
図1，図３に示すとおり、ソケットハウジング３３の内部には、４個のコネクタ付きソケット４１が差し込み孔３４に対応して設けられている。各コネクタ付きソケット４１は、差し込み孔３４の内側でランプピン３５を保持するソケット部４１ａと、リード線３６ａを接続するためのリード線コネクタ４１ｂとからなり、これらソケット部４１ａとリード線コネクタ４１ｂとをバネ板を折曲して一体に形成している。
【００２４】
ソケット部４１ａは、差し込み孔３４の中心軸ＣＬを挟んで相対向し、かつ長片側を差し込み孔３４ａの中心軸ＣＬに沿って配設される帯板状のソケット片４１ｃ，４１ｃと、該ソケット片４１ｃ，４１ｃの差し込み孔３４ａと反対側の端部をつなぐ連結片４１ｄとからなっている。
ソケット片４１ｃ，４１ｃは、中間部からやや差し込み孔側を互いに接近するようにくの字状に折曲させて直線状の屈曲縁４１ｅ，４１ｅを形成し、該屈曲縁４１ｅ，４１ｅから差し込み孔側の先端と反差し込み側の底部へ向けて、それぞれハの字状に拡開する形状となっている。
【００２５】
ソケット片４１ｃ，４１ｃの差し込み孔側の先端は、ランプピン３５の直径よりも広く拡開していて、ランプピン３５をソケット片４１ｃ，４１ｃの間へ容易に挿入できるようにしており、また屈曲縁４１ｅ，４１ｅは、ランプピン３５の直径よりも幅狭に位置していて、ソケット片４１ｃ，４１ｃ間に差し込まれたランプピン３５にソケット片４１ｃ，４１ｃの弾発力を有効に作用させるようにしている。
【００２６】
各ソケット片４１ｃの外面には、角錐を縦方向に半切した形状の突部が屈曲縁４１ｅと交差するように設けられ、この突部の形成によってソケット片４１ｃ，４１ｃの内面に断面Ｖ字状の窪み部４２，４２を相対向させて、該窪み部４２，４２と屈曲縁４１ｅ，４１ｅとが交わる４つの頂部を接触点Ｐ１としており、屈曲縁４１ｅ，４１ｅの間に差し込まれたランプピン３５は、これら４つの接触点Ｐ１と点接触にて弾持される。
【００２７】
前記リード線コネクタ４１ｂは、連結片４１ｄのソケット片４１ｃ，４１ｃの間に挟まれた一方の側端部から、連結片４１ｄと差し込み孔３４の中心軸ＣＬに沿ってクランク状に折れ曲がる脚片４１ｆの先端に三角形のクランプ部４１ｇを連設して構成されている。クランプ部４１ｇの立ち上がり片には通孔４３が開口しており、またクランプ部４１ｇの先端片４１ｈはソケット部４１ａ側に傾斜しており、ケーブル３６は通孔４３を通してクランプ部４１ｇに差し込まれ、リード線３６ａを先端片４１ｈと脚片４１ｆとのバネ力で弾持してリード線コネクタ４１ｂに接続される。
【００２８】
以上のように構成されるコネクタ付きソケット４１は、図３に示すとおり、ソケット部４１ａのソケット片４１ｃ，４１ｃを差し込み孔３４の中心軸ＣＬに合わせて、ソケットハウジング３３に収容される。リード線コネクタ４１ｂは、その大半がソケット部４１ａの側部に並列に位置し、ソケット部４１ａの連結片４１ｄからはみ出たクランプ部４１ｇの先端部分を、前記した脚部３３ｂ内の凹部４０に収容される。
また、クランプ部４１ｇの先端片４１ｈは、前述のごとくソケット部４１ａ側に傾斜して配設されているため、リード線３６ａをワンタッチで容易に差し込みできるようになっており、また引き抜き方向の力が作用した場合にはリード線３６ａに食い込んで、クランプ部４１ｇからの抜けを阻止するようになっている。
【００２９】
本形態例の蛍光灯照明具用ソケット３０は、ソケット部４１ａのソケット片４１ｃ，４１ｃを帯板状に形成して、その長片側を差し込み孔３４の中心軸Ｃｌに沿って配設することにより、ランプピン３５の差し込み長さを確保しつつ、ソケット部４１ａとリード線コネクタ４１ｂとを並列に配置することによって、図２（ａ）に示すとおり、ソケットハウジング３３がランプピン３５に対して直交する薄型の平板状となり、その厚みＡを、図１４に示す従来のエルボ型の蛍光灯照明具用ソケット１１の厚みＢよりも薄く抑えることができる。
【００３０】
図７，図８は、上述の蛍光灯照明具用ソケット３０を支柱型の拡大鏡スタンド５０に適用した状態を示しており、拡大鏡スタンド５０は、環状のランプシェード５１に環状蛍光灯管５２を収納配置し、該蛍光灯管５２の内側に拡大レンズ５３を配設して拡大鏡ユニット５４を構成しており、蛍光灯照明具用ソケット３０は、ランプシェード５１と環状蛍光灯管５２との間に配設されている。
【００３１】
図６は、拡大鏡スタンド５０の電気配線を簡略して示しており、蛍光灯照明具用ソケット３０は、安定器５５とスイッチ５６を介して電源５７に接続されており、環状蛍光灯管５２のランプピン３５をソケット部４１ａに差し込むことにより環状蛍光灯管５２を点灯する。
蛍光灯照明具用ソケット３０のソケットハウジング３３は、差し込み孔３４に対して直交する方向へ薄板状に形成されていることから、ランプシェード５１と環状蛍光灯管５２との間で占有するスペースが少なくて済み、拡大鏡ユニット５４を大型化することなく、所望のサイズの蛍光灯管５２と拡大レンズ３４を使用することができる。
【００３２】
また、蛍光灯照明具用ソケット３０をランプシェード５１と環状蛍光灯管５２との間に配設するので、環状蛍光灯管の下側に配設した従来のもののように、作業テーブル上の被観察物の移動を妨げたり、蛍光灯照明具用ソケットの影が作業テーブルの上に落ちて観察の支障になるといった不具合はない。
【００３３】
さらに本形態例は、差し込み孔３４からソケット部４１ａのソケット片４１ｃ，４１ｃの間に差し込まれたランプピン３５を、ソケット片４１ｃ，４１ｃの４つの接触点Ｐ１が点接触にて弾持するため、拡大鏡ユニット５４に振動や衝撃が作用したりランプピン３５を頻繁に抜き差ししても、４つの接触点Ｐ１のうちの少なくとも３つはソケット片４１ｃ，４１ｃの弾発力によって常時接触しているので、環状蛍光灯管５２が消灯してしまうという不具合がない。
【００３４】
なお、本発明の蛍光灯照明具用ソケットは、ソケット部とリード線コネクタの形状を適宜変更することができる。とくにリード線コネクタは、その全体もしくは一部がソケット部と並列の位置にあって、リード線が接続できる形状であればよい。また、ソケット片の窪み部形状も適宜変更可能である。
さらに、本発明の蛍光灯照明具用ソケットは、上述の形態例に示した環状型蛍光灯管以外に、直管型や片口金型の蛍光灯管にも適用が可能である。さらに蛍光灯管以外であっても、例えば自動車の照明に用いられるピン差し込み型のバルブにも適用することができる。
【００３５】
また、上述の形態例では、拡大鏡ユニットを支柱と支持アームとで支持する支柱型の拡大鏡スタンドを例示したが、本発明の拡大鏡スタンドは、複数のアームをヒンジで連接したアーム型や、１本の折り曲げ可能なフレキシブルアームを用いたフレキシブルアーム型，その他の形式にも適用が可能である。
【図面の簡単な説明】
【００３６】
【図１】コネクタ付きソケットとランプピンとケーブルの分解斜視図である
【図２】蛍光灯照明具用ソケットの外観図である
【図３】蛍光灯照明具用ソケットの断面図である
【図４】コネクタ付きソケットとランプピンとの組み付け図である
【図５】拡大鏡スタンドの斜視図である
【図６】図５に示す拡大鏡スタンドの電気配線図である
【図７】拡大鏡ユニットの断面図である
【図８】図７の要部拡大図である
【図９】従来の蛍光灯照明具用ソケットの斜視図である
【図１０】従来の拡大鏡スタンドの正面図である
【図１１】従来の拡大鏡スタンドの側面図である
【図１２】従来の拡大鏡スタンドの正面図である
【図１３】図１１のＸＩＩＩ−ＸＩＩＩ断面図である
【図１４】従来の蛍光灯照明具用ソケットの外観図である
【図１５】従来の拡大鏡スタンドの拡大鏡ユニットの断面図である
【符号の説明】
【００３７】
３０  …蛍光灯照明具用ソケット
３１  …ハウジング本体
３２  …カバー
３３  …ソケットハウジング
３３ａ…ボス部
３４  …差し込み孔
３５  …ランプピン
３６  …ケーブル
３６ａ…リード線
４１  …コネクタ付きソケット
４１ａ…ソケット部
４１ｂ…リード線コネクタ
４１ｃ…ソケット片
４１ｄ…連結片
４１ｅ…屈曲縁
４２  …窪み部
４１ｇ…クランプ部
４１ｈ…クランプ部４１ｇの先端片
５０  …拡大鏡スタンド
５１  …ランプシェード
５２  …環状蛍光灯管
５３  …拡大レンズ
５４  …拡大鏡ユニット
ＣＬ  …差し込み孔３４の中心軸
Ｐ１  …接触点
【図１】
0004625784.tif 000002
【図２】
0004625784.tif 000003
【図４】
0004625784.tif 000004
【図５】
0004625784.tif 000005
【図７】
0004625784.tif 000006
【図８】
0004625784.tif 000007
【図９】
0004625784.tif 000008
【図１０】
0004625784.tif 000009
【図１１】
0004625784.tif 000010
【図１２】
0004625784.tif 000011
【図１３】
0004625784.tif 000012
【図１４】
0004625784.tif 000013
【図１５】
0004625784.tif 000014
【図３】
0004625784.tif 000015
【図６】
0004625784.tif 000016